(57)【要約】【課題】打撃部に対して適切な押付力を設定して精度よく打音検査を行うことができる構造物の打音検査装置及び方法を提供することを目的とするものである。【解決手段】打音検査装置は、構造物Ｍの検査対象表面Ｓを打撃する打撃部１と、打撃部１の打撃面を検査対象表面Ｓに押し付ける押付力を調整可能に設定する押付部２と、打撃部１の打撃により発生する打撃音を検出する検出部３と、検出部３からの検出信号に基づいて構造物Ｍ内部の状態を判定する処理部５とを備えている。【選択図】図１
2019039787.tif 000002
【特許請求の範囲】
【請求項１】
構造物の検査対象表面を打撃する打撃部と、前記打撃部の打撃面を前記検査対象表面に押し付ける押付力を調整可能に設定する押付部と、前記打撃部の打撃により発生する打撃音を検出する検出部と、前記検出部からの検出信号に基づいて前記構造物内部の状態を判定する処理部とを備えている構造物の打音検査装置。
【請求項２】
前記押付部は、前記押付力を検出するセンサを備えている請求項１に記載の構造物の打音検査装置。
【請求項３】
前記打撃部、前記押付部及び前記検出部を前記検査対象表面に沿って移動させる移動部を備えている請求項１又は２に記載の構造物の打音検査装置。
【請求項４】
前記処理部は、前記検出信号に基づいてオーバーオール値を算出して判定処理を行う請求項１から３のいずれかに記載の構造物の打音検査装置。
【請求項５】
構造物の検査対象表面を打撃部により打撃して発生する打撃音を検出して構造物内部の状態を判定する構造物の打音検査方法において、前記打撃部の打撃面を前記検査対象表面に押し付ける押付力を調整して打撃動作を行う構造物の打音検査方法。
【請求項６】
前記打撃音を検出した検出信号に基づいてオーバーオール値を算出して判定する請求項５に記載の構造物の打音検査方法。
【発明の詳細な説明】
【技術分野】
【０００１】
本発明は、橋梁、建造物等の構造物に対する打撃音に基づいて検査を行う打音検査装置及び方法に関する。
【背景技術】
【０００２】
近年、戦後に構築された橋梁、建造物等の構造物が耐用年数を迎えており、劣化よる事故を防ぐために定期的な検査行うことが義務付けられている。こうした構造物の検査方法としては、簡易で低コストの打音検査法が広く用いられている。打音検査法は、構造物の検査対象表面を点検ハンマー等で打撃し、打撃した表面から生じる打撃音から内部欠陥（コンクリートの浮きや空隙等）を判定する検査方法である。
【０００３】
従来の打撃検査法では、検査員が手動で打撃動作を行い、発生する打撃音を検査員が直接聴くことで打撃音の違いから欠陥の有無を判定していたが、検査員の経験や感覚に依るところが大きく、欠陥の有無や状態を定量的に分析することは困難であった。また、検査員による打撃検査では、打撃動作にばらつきが生じやすく検査に要する時間がかかるといった課題も指摘されている。
【０００４】
こうした従来の打撃検査法の課題に対して、打撃音から欠陥状態を定量的に把握するための検査技術が提案されている。例えば、特許文献１では、コンクリート構造物の方面に多角形のヘッドを当てながら移動させ、その際に発生する転打音を検出し、転打音の周波数分布に対して特定の部分の音圧レベルが高くなっている部分を検出することで異常部分を判定するようにした検査方法が記載されている。また、特許文献２では、路面上に多角形に形成された回動打音器を移動させ、その際に発生する衝撃音をマイクロフォンにより収録し、音響解析装置により解析された音圧レベルにより損傷部を判定する打音装置が記載されている。
【先行技術文献】
【特許文献】
【０００５】
【特許文献１】特開２０１３−２５３９４７号公報
【特許文献２】特許第５６５１７３９号公報
【発明の概要】
【発明が解決しようとする課題】
【０００６】
上述した特許文献では、多角形のヘッドを検査対象表面に転動させて発生する打撃音を検出しているが、ヘッドを転動させる際にヘッドを検査対象表面に押し付ける押付力に関して特に条件設定することは行われていない。しかしながら、押付力にバラツキがあるとヘッドによる打撃力にバラツキが生じるようになり、検出される打撃音に影響が及ぶようになることから、検査精度が低下するという課題がある。また、検出された打撃音の時間波形や周波数特性を用いて検査対象物の健全部及び欠陥部を判定するようにしているが、明確に判定することが難しいといった課題がある。
【０００７】
そこで、本発明は、打撃部に対して適切な押付力を設定して精度よく打音検査を行うことができる構造物の打音検査装置及び方法を提供することを目的とするものである。
【課題を解決するための手段】
【０００８】
本発明に係る構造物の打音検査装置は、構造物の検査対象表面を打撃する打撃部と、前記打撃部の打撃面を前記検査対象表面に押し付ける押付力を調整可能に設定する押付部と、前記打撃部の打撃により発生する打撃音を検出する検出部と、前記検出部からの検出信号に基づいて前記構造物内部の状態を判定する処理部とを備えている。さらに、前記押付部は、前記押付力を検出するセンサを備えている。さらに、前記打撃部、前記押付部及び前記検出部を前記検査対象表面に沿って移動させる移動部を備えている。さらに、前記処理部は、前記検出信号に基づいてオーバーオール値を算出して判定処理を行う。
【０００９】
本発明に係る構造物の打音検査方法は、構造物の検査対象表面を打撃部により打撃して発生する打撃音を検出して構造物内部の状態を判定する構造物の打音検査方法において、前記打撃部の打撃面を前記検査対象表面に押し付ける押付力を調整して打撃動作を行う。さらに、前記打撃音を検出した検出信号に基づいてオーバーオール値を算出して判定する。
【発明の効果】
【００１０】
本発明は、上記のような構成を有することで、打撃部に対して適切な押付力を設定して精度よく打音検査を行うことができる。
【図面の簡単な説明】
【００１１】
【図１】本発明に係る実施形態である打音検査装置に関する側面から見た概略構成図である。
【図２】本発明に係る実施形態である打音検査装置に関する上面から見た概略構成図である。
【図３】供試体に関する説明図である。
【図４】欠陥部の深さが３０ｍｍの供試体を用いた打音検査で得られた音圧の時間波形を示すグラフである。
【図５】押付力を１５Ｎに設定した打音検査で得られた音圧の時間波形を示すグラフである。
【図６】打撃ヘッドの打撃毎の時間波形から抽出した音圧の最大値を示すグラフである。
【図７】欠陥部の深さ１０ｍｍの供試体の健全部及び欠陥部における代表的な１打撃分の時間波形について周波数分析を行った結果を示す周波数スペクトルである。
【図８】欠陥部の深さ１５ｍｍの供試体の健全部及び欠陥部における代表的な１打撃分の時間波形について周波数分析を行った結果を示す周波数スペクトルである。
【図９】欠陥部の深さ２０ｍｍの供試体の健全部及び欠陥部における代表的な１打撃分の時間波形について周波数分析を行った結果を示す周波数スペクトルである。
【図１０】欠陥部の深さ３０ｍｍの供試体の健全部及び欠陥部における代表的な１打撃分の時間波形について周波数分析を行った結果を示す周波数スペクトルである。
【図１１】欠陥部の深さ１０ｍｍの場合における打撃ヘッドの打撃毎の音圧の最大値及びオーバーオール値を示すグラフである。
【図１２】欠陥部の深さ１５ｍｍの場合における打撃ヘッドの打撃毎の音圧の最大値及びオーバーオール値を示すグラフである。
【図１３】欠陥部の深さ２０ｍｍの場合における打撃ヘッドの打撃毎の音圧の最大値及びオーバーオール値を示すグラフである。
【図１４】欠陥部の深さ３０ｍｍの場合における打撃ヘッドの打撃毎の音圧の最大値及びオーバーオール値を示すグラフである。
【発明を実施するための形態】
【００１２】
以下、本発明の実施形態を図面を用いて説明する。なお、以下に説明する実施形態は、本発明を実施するにあたって好ましい具体例であるから、技術的に種々の限定がなされているが、本発明は、以下の説明において特に本発明を限定する旨明記されていない限り、これらの形態に限定されるものではない。
【００１３】
図１は、本発明に係る実施形態である打音検査装置に関する側面から見た概略構成図であり、図２は、上面から見た外力構成図である。打音検査装置は、構造物の検査対象表面を打撃する打撃部１と、打撃部１の打撃面を検査対象表面Ｓに押し付ける押付力を調整可能に設定する押付部２と、打撃部１の打撃により発生する打撃音を検出する検出部３と、打撃部１、押付部２及び検出部３を検査対象表面Ｓに沿って移動させる移動部４と、検出部３からの検出信号に基づいて構造物Ｍ内部の状態を判定する処理部５とを備えている。
【００１４】
打撃部１は、公知の多角形状の打撃ヘッド１０を備えており、打撃ヘッド１０は、支持ロッド１１の先端側に回転可能に取り付けられている。支持ロッド１１は、取付アーム１２に中央部分を回動可能に軸支されており、後端側を押付部２に連結されている。そのため、支持ロッド１１の後端側を押付部２により検査対象表面Ｓから離間する方向に押付力を印加されることで、打撃ヘッド１０は、検査対象表面Ｓに打撃面が所定の押付力で押し付けられるようになる。
【００１５】
そして、後述するように、移動部４により打撃部１を移動させることで、打撃ヘッド１０は押付力により検査対象表面Ｓに押し付けられた状態のまま転動するようになり、転動動作中に打撃ヘッド１０の角部の１つが検査対象表面Ｓに当接して一旦打撃ヘッド１０が持ち上げられた後次の打撃面が検査対象表面Ｓに衝突して打撃動作が行われる。そのため、転動動作中に所定間隔おきに打撃動作を行われるようになる。打撃動作では、静的成分として押付力が印加されるとともに動的成分として打撃力が印加されるようになる。
【００１６】
押付部２は、支持ロッド１１の後端側に連結されて打撃ヘッド１０に対して押付力を印加するようになっている。例えば、所定の引張力を印加する引張りバネやアクチュエータ等を用い、支持ロッド１１と連結した端部とは反対側の端部の取付位置を調整して引張力の大きさを調整できるようになっている。打撃ヘッド１０の打撃面が検査対象表面Ｓに対して所定の押付力で押し付けるために、押付部２に引張力を検出するセンサを取り付けて、押付力に対応する引張力となるように調整することができる。また、打撃面に直接ロードセル等のセンサを取り付けて検出された押付力に基づいて引張力を調整することもできる。
【００１７】
この例では、押付部２を支持ロッド１１の後端側に連結して押付力を印加するようにしているが、これ以外の押付力の印加方法を用いることもでき、特に限定されない。例えば、支持ロッド１１の取付アーム１２に軸支した部分よりも先端側に押付部２を連結して支持ロッド１１を検査対象表面Ｓに接近する方向に押圧することで、打撃ヘッド１０に押付力を印加することができる。また、取付アーム１２に支持ロッド１１を軸支する回転軸を駆動する回転駆動機構を設けることで、打撃ヘッド１０を所定の押付力により押し付けるように支持ロッド１１を回転駆動させるようにしてもよい。
【００１８】
検出部３は、打撃ヘッド１０が検査対象表面Ｓに押し付けられながら衝突して発生する打撃音を検出する検出センサ３０を備えており、検出センサ３０は、取付アーム３１の先端部に固定されて打撃ヘッド１０の近傍に配置されている。検出センサ３０としては、マイクロフォン等を用いることができ、打撃音による振動を電気信号に変換して検出することができる。
【００１９】
検出センサとしては、マイクロフォン以外のセンサを用いることができ、特に限定されない。例えば、支持ロッド１１に振動検出センサを取り付けて打撃ヘッド１０の打撃動作に伴う振動を検出することで、打撃音と同様に打撃状態を検出することもできる。
【００２０】
移動部４は、直方体状の枠体からなる基体フレーム４０を備えており、基体フレーム４０は、検査対象表面Ｓに当接する矩形状の枠とは反対側の枠の長手方向に沿った一対のレール体４１を備えている。一対のレール体４１には、キャリッジ４２が長手方向に沿って移動可能に架設されており、キャリッジ４２には、駆動部４３が取り付けられている。キャリッジ４２は、駆動部４３により所定の移動速度で長手方向に移動するようになっている。キャリッジ４２には、取付アーム１２を介して打撃部１及び押付部２が取り付けられており、取付アーム３１を介して検出部３が取り付けられている。そのため、キャリッジ４２を所定の移動速度で移動させることで、打撃部１、押付部２及び検出部３が所定の移動速度で移動するようになり、打撃ヘッド１０を押付力により押し付けた状態で転動させながら移動させて打撃動作を行うことができ、検査対象表面Ｓにおける打撃ヘッド１０の移動位置における打撃音を検出することが可能となる。
【００２１】
移動部４は、打撃部１、押付部２及び検出部３を支持して所定の移動速度で移動させることができればよく、上述した例に限定されることはない。例えば、基体フレーム４０に駆動部を取り付けるとともにキャリッジ４２に取り付けたキャリッジベルトをレール体４１に沿って長手方向に張架して駆動部により駆動することで、キャリッジ４２を移動させることができる。また、打撃部１、押付部２及び検出部３を支持する車体フレームに車輪を取り付けて移動体として構成するようにしてもよい。
【００２２】
処理部５は、押付部２、検出部３及び移動部４とそれぞれ接続されており、押付部２の押付力及び移動部４の移動速度を設定する設定処理部５０、押付部２の押付動作及び移動部４の移動動作を制御する動作処理部５１、検出部３からの検出信号を処理する検出処理部５２、及び、打撃ヘッド１０の移動位置及びそれに対応する検出データに基づいて構造物Ｍ内部の状態を判定する判定処理部５３を備えている。
【００２３】
処理部５としては、公知の信号波形処理装置及び情報処理装置を組み合せて構成することができ、検出処理部の機能を信号波形処理装置で実現するとともに、設定処理部、動作処理部及び判定処理部の機能を実現するためのプログラムを情報処理装置に記憶させて構成すればよい。
【００２４】
処理部５は、まず複数の押付力で予備検査を行う。設定処理部５０は、移動部４の移動速度が所定の速度となるように設定し、予備検査として押付部２の押付力を複数の異なる値に設定する。設定する押付力については、予め予備実験等により押付力の範囲を決めておき、その範囲内で適宜設定すればよい。動作処理部５１は、設定されたそれぞれの押付力で打撃ヘッド１０を押し付けて移動させる。検出処理部５２は、それぞれの押付力での打撃ヘッド１０の打撃音に関する検出信号を検出部３から取得し、判定処理部５３は、取得した検出信号に基づいて各押付力での音圧比（例えば、検出範囲内での最大音圧と最小音圧との比、最大音圧と平均音圧との比等）を算出して、算出された音圧比に基づいて音圧比が大きい範囲内で押付力の大きい値を判定して検査用押付力を決定すればよい。
【００２５】
こうした予備検査では、後述するように、打撃ヘッドに対する押付力の違いにより検出信号が異なることから、構造物内部の状態の影響を受けて検出信号が大きく変動すると考えられる押付力の範囲を具体的に特定することができる。そして、検出結果に明確な違いが生じる押付力を設定することで、精度よく構造物内部の状態を定量的に判定することが可能となる。
【００２６】
次に、本検査を行う。本検査では、設定処理部５０は、検査用押付力を押付力に設定し、押付部２は、設定された押付力により打撃ヘッド１０の押付動作を行う。そして、動作処理部５１は、所定の移動速度で移動させて打撃ヘッド１０の転動動作を行う。検出処理部５２は、打撃ヘッド１０の打撃音に基づく検出信号を検出部３から取得し、判定処理部５３は、取得した検出信号に基づいて時間波形、周波数特性、打撃毎のオーバーオール値等を解析して構造物内部の状態について判定処理を行う。判定結果は、表示部６に表示するように処理される。
【００２７】
なお、処理部５で予備検査により得られた検出信号に基づいて検査に適切な押付力での検出信号を決めて解析処理するようにしてもよい。また、予備実験等の検出結果に基づいて検査用押付力を決めておき、予備検査を行うことなく検査用押付力に基づいて検査処理を行うようにすることもできる。
【００２８】
時間波形による解析を行う場合には、検出信号の音圧レベルの時間的な推移を解析対象とすることができる。この場合、打撃ヘッドの移動速度が速くなると音圧レベルが高くなる傾向にあるため、適切な移動速度を設定することが好ましい。構造物内部に欠陥部が存在する場合には、音圧レベルが高くなる傾向があることから、時間波形を解析することで、欠陥部の位置を定量的に判定することができる。また、打撃ヘッドによる打撃毎の時間波形に基づいて音圧の最大値を抽出し、打撃位置に対する最大値の推移を解析することで、欠陥部の深さを定量的に判定することができる。
【００２９】
検出信号の周波数特性による解析を行う場合には、打撃ヘッドによる各打撃動作での検出信号波形について周波数解析を行い、構造物内部が健全部の場合と欠陥部の場合とで特徴的なピーク周波数を分析することで打撃位置での欠陥部の有無を判定することができ、欠陥部の深さによるピーク周波数の変化に基づいて深さを定量的に解析することができ、欠陥部を定量的に判定することが可能となる。
【００３０】
検出信号のオーバーオール値による解析を行う場合には、打撃ヘッドによる各打撃動作での検出信号の周波数分析を行い、打撃毎の分析周波数帯域全体の合成パワーであるオーバーオール値を算出する。そして、打撃位置に対するオーバーオール値の推移を解析することで、欠陥部の位置を明確に判定することができる。
【００３１】
以上説明したように、打撃ヘッドの押付力を調整可能として検査に適切な押付力を設定することで、精度よく打音検査を行うことができる。
【実施例】
【００３２】
図１に示す装置を用いて、試験用に作成した供試体で打音検査を行った。打撃ヘッドとして、回転式打音点検器（株式会社ネクスコ東日本エンジニアリング製）に用いられている六角形状の打撃ヘッド部分を取り外して使用した。押付部には、引張バネを用い、バネの張力を調整して打撃ヘッドの押付力を調整可能とした。検出部には、マイクロフォン（ブリュエル・ケアー社製）を用い、供試体の検査対象表面からの高さを６０ｍｍに設定した。
【００３３】
図３は、供試体に関する説明図である。供試体Ｍとして、長さ１１５０ｍｍ×幅２００ｍｍ×高さ１５０ｍｍの直方体の鉄筋コンクリート体を作成し、内部には、鉄筋Ｒが配設されるとともに、欠陥部として直方体状のスチレンボードを３箇所の位置（符号Ｉ、II、IIIで示す）に埋設した。スチレンボードは、供試体の長手方向に沿って配列し、両端部のスチレンボードは供試体の両端部から２００ｍｍ離れた位置に設定し、スチレンボードの間の間隔は１５０ｍｍに設定した。スチレンボードの深さは、１０ｍｍ、１５ｍｍ、２０ｍｍ及び３０ｍｍのそれぞれの深さに設定して、４種類の供試体を準備した。
【００３４】
移動部の移動速度を２００ｍｍ／秒に設定して移動動作を行い、打撃ヘッドは１回転あたり６回の打撃（打撃間距離約１６．７ｍｍ）を行うように設定した。そのため、打撃音の時間波形から打撃位置を特定することができる。検出部では、Ａ／Ｄ変換器のサンプリング周波数１２８００Ｈｚ、サンプリング点数６５５３６点とし、６４００Ｈｚのローパスフィルタを掛けて検出信号を生成した。また、押付部では、押付力を３Ｎ、１０Ｎ、１５Ｎ及び２０Ｎの４種類に設定して打音検査を行った。
【００３５】
＜検出結果の時間波形について＞
図４は、欠陥部の深さが３０ｍｍの供試体を用いた打音検査で得られた音圧の時間波形を示すグラフである。図４（ａ）は押付力が３Ｎの場合、図４（ｂ）は押付力が１０Ｎの場合、図４（ｃ）は押付力が１５Ｎの場合、図４（ｄ）は押付力が２０Ｎの場合をそれぞれ示している。各グラフは、縦軸に音圧をとり、横軸に時間をとっており、欠陥部Ｉ〜IIIに対応する時間帯を点線で示している。
【００３６】
押付力が３Ｎでは健全部と欠陥部との間で音圧に明確な違いが見られないが、押付力が１０Ｎ及び１５Ｎでは健全部に比べて欠陥部の音圧が高くなっている。特に、押付力が１５Ｎでは明確な違いとなって表れており、欠陥部の有無を判定することができる。押付力が２０Ｎでは健全部と欠陥部との間で音圧に明確な違いが見られなくなることから、音圧の最大値と最小値の音圧比が大きくなる押付力の範囲で押付力の大きい１５Ｎを検査用押付力として選択すればよい。
【００３７】
図５は、押付力を１５Ｎに設定した打音検査で得られた音圧の時間波形を示すグラフである。図５（ａ）は欠陥部の深さが１０ｍｍの供試体の場合、図５（ｂ）は欠陥部の深さが１５ｍｍの供試体の場合、図５（ｃ）は欠陥部の深さが２０ｍｍの供試体の場合、図５（ｄ）は欠陥部の深さが３０ｍｍの供試体の場合をそれぞれ示している。各グラフは、縦軸に音圧をとり、横軸に時間をとっており、欠陥部Ｉ〜IIIに対応する時間帯を点線で示している。
【００３８】
図５では、すべての供試体において健全部と比較して欠陥部の音圧が高くなっており、欠陥部の深さが深くなるにしたがい音圧が低くなってくることがわかる。これは、欠陥部の深さが深くなると欠陥部の上部のコンクリート部分の厚さが大きくなり、曲げ剛性が高くなって供試体表面の振動振幅が小さくなるためと考えられる。欠陥部に対応する時間帯では、音圧のピークが表れており、欠陥位置を判定することが可能となっている。また、欠陥部の幅に対応して音圧の高くなる幅が表れていることから、欠陥部の大きさについても判定可能であることがわかる。
【００３９】
図６は、打撃ヘッドの打撃毎の時間波形から抽出した音圧の最大値を示すグラフである。縦軸に音圧をとり、横軸に打撃番号（打撃位置）をとっており、欠陥部Ｉ〜IIIに対応する打撃範囲を点線で示している。図６では、欠陥部の有無が明確に表れており、欠陥部の深さが深くなるほど音圧の最大値が低くなっている。そのため、欠陥部の有無及びその深さが判定可能であることがわかる。また、欠陥部の深さが１０ｍｍ及び１５ｍｍでは、欠陥部の幅に対応して音圧の最大値が変動しており、欠陥部の大きさについても判定可能であることがわかる。
【００４０】
＜検出結果の周波数特性について＞
図７から図１０は、各供試体の健全部及び欠陥部における代表的な１打撃分の時間波形について周波数分析を行った結果を示す周波数スペクトルである。図７は欠陥部の深さが１０ｍｍの供試体の場合、図８は欠陥部の深さが１５ｍｍの供試体の場合、図９は欠陥部の深さが２０ｍｍの供試体の場合、図１０は欠陥部の深さが３０ｍｍの供試体の場合をそれぞれ示している。各図において、左側に健全部の周波数スペクトルを示し、右側に欠陥部の周波数スペクトルを示している。各グラフは、縦軸に音圧をとり（健全部と欠陥部とでスケールが異なっていることに留意）、横軸に周波数をとっている。
【００４１】
健全部では、すべての供試体で１ｋＨｚ付近にピークが表れているのに対し、欠陥部では、３ｋＨｚ〜６ｋＨｚにピークが表れており、欠陥部の深さが深くなるにしたがいピーク周波数が高周波側に移行するとともにピークの音圧値が低くなっている。そのため、健全部及び欠陥部に特徴的にピークが表れる周波数帯を比較することで欠陥部の有無を判定することが可能で、ピーク周波数の変化に基づいて欠陥部の深さを判定することができる。
【００４２】
＜検出結果のオーバーオール値について＞
図１１から図１４は、打撃ヘッドの打撃毎の音圧の最大値及びオーバーオール値を示すグラフである。図１１は欠陥部の深さが１０ｍｍの供試体の場合、図１２は欠陥部の深さが１５ｍｍの供試体の場合、図１３は欠陥部の深さが２０ｍｍの供試体の場合、図１４は欠陥部の深さが３０ｍｍの供試体の場合をそれぞれ示している。各図において上側のグラフが音圧の最大値を示し、下側のグラフがオーバーオール値を示している。各グラフでは、縦軸に音圧の最大値又はオーバーオール値をとり（欠陥の深さによりスケールが異なっている場合があることに留意）、横軸に打撃番号（打撃位置）をとっており、欠陥部Ｉ〜IIIに対応する打撃範囲を点線で示している。オーバーオール値は、打撃毎の時間波形を周波数分析して周波数帯域全体の合成パワーとして算出した値である。
【００４３】
各図において、音圧の最大値及びオーバーオール値では健全部と欠陥部との違いが表れているが、オーバーオール値の方が健全部及び欠陥部における値のノイズが小さくなって両者の違いが明確に表れている。そのため、オーバーオール値の打撃位置での変化に基づいて欠陥部の有無及び欠陥部の大きさを精度よく判定することができる。
【符号の説明】
【００４４】
１・・・打撃部、２・・・押付部、３・・・検出部、４・・・移動部、５・・・処理部、６・・・表示部、１０・・・打撃ヘッド、１１・・・支持ロッド、１２・・・取付アーム、３０・・・検出センサ、３１・・・取付アーム、４０・・・基体フレーム、４１・・・レール体、４２・・・キャリッジ、４３・・・駆動部、Ｍ・・・構造物、Ｓ・・・検査対象表面
【図１】
2019039787.tif 000003
【図２】
2019039787.tif 000004
【図３】
2019039787.tif 000005
【図４】
2019039787.tif 000006
【図５】
2019039787.tif 000007
【図６】
2019039787.tif 000008
【図７】
2019039787.tif 000009
【図８】
2019039787.tif 000010
【図９】
2019039787.tif 000011
【図１０】
2019039787.tif 000012
【図１１】
2019039787.tif 000013
【図１２】
2019039787.tif 000014
【図１３】
2019039787.tif 000015
【図１４】
2019039787.tif 000016